(57)【要約】【課題】減筒運転と全筒運転間での移行時において、所望の弁からの開弁あるいは閉弁を実現することができるエンジンの制御装置を提供する。【解決手段】休止気筒２Ａ，２Ｄの吸排気弁８、９を開閉可能状態と閉弁保持状態とに切り替え可能な弁停止機構２５ａと、エンジン回転数を制御するエンジン回転数制御部５５とを設け、エンジン回転数制御部５５に、減筒運転と全筒運転の一方から他方への移行要求があった後、弁停止機構２５ａによる切り替えが完了しておらず且つエンジンと動力伝達部との連結が解除されているという特定条件が成立した場合には、エンジン回転数を、当該エンジン回転数の時間に対する変化量が、上記特定条件が成立していない場合よりも小さくなるように制御する。
2015163292.tif 000002
【特許請求の範囲】
【請求項１】
吸気弁および排気弁を備えるとともに空気と燃料の混合気の燃焼が実施される複数の気筒を有し、全ての気筒内で混合気の燃焼が実施される全筒運転と、複数の気筒のうち特定の気筒内での燃焼が停止されて当該気筒が休止状態とされる減筒運転との間で切り替え可能なエンジンと、当該エンジンと連結されてエンジンの動力を車輪に伝達する動力伝達部とを備えた車両に設けられるエンジンの制御装置であって、
エンジンの運転条件に基づいて減筒運転と全筒運転のいずれを実施するかを判定する運転要求判定部と、
上記特定の気筒の吸気弁および排気弁を開閉可能な状態と閉弁保持される状態とに切り替え可能な弁停止機構と、
全筒運転時に上記特定の気筒の吸気弁および排気弁を開閉可能状態とし、減筒運転時に上記特定の気筒の吸気弁および排気弁を閉弁保持状態とするように、上記弁停止機構を制御するバルブ制御部と、
エンジン回転数を制御するエンジン回転数制御部とを有し、
上記弁停止機構は、上記運転要求判定部によって減筒運転と全筒運転の一方から他方への移行要求があったと判定されると、上記特定の気筒の吸気弁および排気弁の状態の切り替えを開始し、
上記エンジン回転数制御部は、上記運転要求判定部によって上記移行要求があったと判定された後、上記弁停止機構による上記切り替えが完了しておらず且つエンジンと上記動力伝達部との連結が解除されているという特定条件が成立した場合には、エンジン回転数を、当該エンジン回転数の時間に対する変化量が、上記特定条件が成立していない場合よりも小さくなるように制御することを特徴とするエンジンの制御装置。
【請求項２】
請求項１に記載のエンジンの制御装置であって、
上記弁停止機構は、油圧駆動式であって、上記特定の気筒の吸気弁および排気弁の状態の切り替えを開始してから、所定の作動遅れ時間が経過した後に、当該切り替えを完了させることを特徴とするエンジンの制御装置。
【請求項３】
請求項１または２に記載のエンジンの制御装置であって、
上記バルブ制御部は、上記運転要求判定部によって減筒運転と全筒運転との一方から他方への移行要求があったと判定された後、所定時間経過後に、上記弁停止機構に上記切り替えを開始させることを特徴とするエンジンの制御装置。
【請求項４】
請求項１〜３のいずれかに記載のエンジンの制御装置であって、
上記エンジン回転数制御部は、エンジンにより駆動される補機の駆動負荷の変更と、燃焼が実施される気筒での燃焼開始時期の変更と、燃焼が実施される気筒内に供給する燃料量の変更との少なくとも一つを実施することで、エンジン回転数を制御することを特徴とするエンジンの制御装置。
【請求項５】
請求項１〜４のいずれかに記載のエンジンの制御装置であって、
上記エンジン回転数制御部は、上記特定条件の成立前後においてエンジン回転数を一定に維持することを特徴とするエンジンの制御装置。
【発明の詳細な説明】
【技術分野】
【０００１】
本発明は、吸気弁および排気弁を備えるとともに空気と燃料の混合気の燃焼が実施される複数の気筒を有するエンジンの制御装置に関する。
【背景技術】
【０００２】
従来、特許文献１に開示されているように、燃費性能の向上等を目的として、複数の気筒を有するエンジンにおいて、一部の気筒の吸気弁および排気弁の開閉動作を停止するとともに当該気筒内での燃焼を停止して休止状態とする減筒運転と、全気筒の吸気弁および排気弁の開閉動作を可能にするとともにこれら全気筒で燃焼を行う全筒運転とを切り替えて実施することが行われている。【０００３】
減筒運転と全筒運転との切り替えが行われるエンジンにおいて、減筒運転と全筒運転の一方から他方に移行する際に、休止状態とされる気筒の吸気弁と排気弁のうち、先に開弁させる弁、あるいは、先に閉弁させる弁を限定することが検討されている。例えば、減筒運転から全筒運転へ移行する際において、休止状態とされた気筒をより早期に稼動させること等を目的としてこの気筒の吸気弁から開弁を開始させる場合がある。また、休止状態とされた排気弁の開閉状態を確認すること等を目的として、この気筒の排気弁から開弁を開始させる場合がある。また全筒運転から減筒運転へ移行する際において、休止状態とされる気筒内に燃焼ガスを残存させること等を目的として、この気筒の排気弁から先に閉弁を開始させる場合がある。
【先行技術文献】
【特許文献】
【０００４】
【特許文献１】特開２００７−１２０４０４号公報
【発明の概要】
【発明が解決しようとする課題】
【０００５】
上記のように減筒運転と全筒運転間の移行時に先に開弁あるいは閉弁させる弁を限定する場合、この移行要求時あるいはこの移行要求があった後に、クラッチカットが行われる、あるいは、変速レンジがニュートラルレンジに切り替えられることによりエンジンとエンジンの動力を車輪に伝達する動力伝達部との間の連結が解除されてエンジン回転数が急変すると、目標とする弁からの開弁あるいは閉弁が実現できないおそれがある。【０００６】
例えば、休止状態とされる吸気弁および排気弁の開閉状態を閉弁保持された状態と開閉可能な状態とに切り替えるための装置が油圧式の場合には、上記移行要求に伴いこの装置を駆動させても油圧の遅れにより所定時間後にしか吸気弁および排気弁の開閉状態が切り替わらない場合がある。そして、この場合には、油圧の遅れ時間中にエンジン回転数が変化することで、吸気弁および排気弁の開閉状態の切り替え完了タイミングが所望の弁の開弁開始時期に対応せず、所望の弁からの開弁あるいは閉弁が実現できない場合がある。【０００７】
これに対して、特許文献１には、減筒運転と全筒運転間での移行中に、変速機の変速作動を禁止する構成が開示されている。【０００８】
この特許文献１の構成によれば、上記移行中に変速動作が禁止されることでエンジン回転数の変化量が小さく抑えられるため、所望の弁からの開弁あるいは閉弁を実現することができると考えられる。【０００９】
しかしながら、この特許文献１の構成では、運転者が例えばニュートラルレンジへの切り替えを要求したにも関わらず、エンジンと動力伝達部とが連結されたままとなるため、運転者が違和感を覚えるという問題が生じる。【００１０】
本発明は、かかる点に鑑みてなされたものであり、減筒運転と全筒運転間での移行時において、運転者の要求に従ってエンジンと動力伝達部との連結解除を実現しつつ、所望の弁からの開弁あるいは閉弁を実現することができるエンジンの制御装置を提供することを目的とする。
【課題を解決するための手段】
【００１１】
上記課題を解決するために、本発明は、吸気弁および排気弁を備えるとともに空気と燃料の混合気の燃焼が実施される複数の気筒を有し、全ての気筒内で混合気の燃焼が実施される全筒運転と、複数の気筒のうち特定の気筒内での燃焼が停止されて当該気筒が休止状態とされる減筒運転との間で切り替え可能なエンジンと、当該エンジンと連結されてエンジンの動力を車輪に伝達する動力伝達部とを備えた車両に設けられるエンジンの制御装置であって、エンジンの運転条件に基づいて減筒運転と全筒運転のいずれを実施するかを判定する運転要求判定部と、上記特定の気筒の吸気弁および排気弁を開閉可能な状態と閉弁保持される状態とに切り替え可能な弁停止機構と、全筒運転時に上記特定の気筒の吸気弁および排気弁を開閉可能状態とし、減筒運転時に上記特定の気筒の吸気弁および排気弁を閉弁保持状態とするように、上記弁停止機構を制御するバルブ制御部と、エンジン回転数を制御するエンジン回転数制御部とを有し、上記弁停止機構は、上記運転要求判定部によって減筒運転と全筒運転の一方から他方への移行要求があったと判定されると、上記特定の気筒の吸気弁および排気弁の状態の切り替えを開始し、上記エンジン回転数制御部は、上記運転要求判定部によって上記移行要求があったと判定された後、上記弁停止機構による上記切り替えが完了しておらず且つエンジンと上記動力伝達部との連結が解除されているという特定条件が成立した場合には、エンジン回転数を、当該エンジン回転数の時間に対する変化量が、上記特定条件が成立していない場合よりも小さくなるように制御することを特徴とするエンジンの制御装置を提供する（請求項１）。【００１２】
この装置では、減筒運転と全筒運転の一方から他方への移行要求時において、弁停止機構による特定の気筒の吸気弁および排気弁の開閉状態の切り替えが完了しておらず、かつ、エンジンと動力伝達部との連結が解除されているという特定条件が成立すると、エンジン回転数の時間に対する変化量が小さく抑えられるため、エンジンと動力伝達部との連結解除を実現しつつ、所望の弁からの開弁あるいは閉弁を実現することができる。
【図面の簡単な説明】
【００１３】
【図１】本発明のエンジン制御装置が適用されたエンジンの一実施形態を示す図である。
【図２】図１に示すエンジンの概略断面図である。
【図３】（ａ）ピボッド部がロック状態のときの弁停止機構を示す図である。（ｂ）ピボット部がロック解除状態に移行する前の弁停止機構を示す図である。（ｃ）ピボッド部がロック解除状態のときの弁停止機構を示す図である。
【図４】弁停止機構の作動油の経路を示した図である。
【図５】（ａ）排気弁の開弁を再開させる際の弁停止機構の駆動タイミグを説明するための図である。（ｂ）吸気弁の開弁を再開させる際の弁停止機構の駆動タイミグを説明するための図である。
【図６】図１に示すエンジンの制御系統を示した図である。
【図７】（ａ）エンジン回転数が一定の条件下で減筒運転から全筒運転への移行時に吸気弁から開弁させる場合の吸排気弁の開閉状態を説明するための図である。（ｂ）減筒運転から全筒運転への移行要求時にエンジンと動力伝達部との連結が解除されることに伴い生じる問題を説明するための図である。
【図８】（ａ）エンジン回転数が一定の条件下で減筒運転から全筒運転への移行時に吸気弁から開弁させる場合の吸排気弁の開閉状態を説明するための図である。（ｂ）減筒運転から全筒運転への移行要求時にエンジンと動力伝達部との連結が解除されることに伴い生じる問題を説明するための図である。
【図９】エンジン回転数制御部の制御手順の前半部分を示したフローチャートである。
【図１０】エンジン回転数制御部の制御手順の後半部分を示したフローチャートである。
【図１１】切替時目標エンジントルクの算出手順を示したフローチャートである。
【図１２】通常目標エンジントルクの算出手順を示したフローチャートである。
【発明を実施するための形態】
【００１４】
（１）全体構成
図１および図２は、本発明の制御装置が適用されたエンジンの一実施形態を示す図である。これらの図に示されるエンジンは、走行用の動力源として車両に搭載される４サイクルの多気筒ガソリンエンジンである。具体的に、図１に示すように、このエンジンは、直線状に並ぶ４つの気筒２Ａ〜２Ｄを有する直列４気筒型のエンジン本体１と、エンジン本体１に空気を導入するための吸気通路３０と、エンジン本体１で生成された排ガスを排出するための排気通路３５とを備えている。
【００１５】
図２に示すように、エンジン本体１は、４つの気筒２Ａ〜２Ｄが内部に形成されたシリンダブロック３と、シリンダブロック３の上側に設けられたシリンダヘッド４と、シリンダヘッド４の上側に設けられたカムキャップ５と、各気筒２Ａ〜２Ｄに往復摺動可能に挿入されたピストン１１とを有している。
【００１６】
ピストン１１の上方には燃焼室１０が形成されている。燃焼室１０には、インジェクタ１２（図１参照）から燃料（ガソリンを主成分とする燃料）が供給される。供給された燃料は燃焼室１０で燃焼し、この燃焼による膨張力でピストン１１は上下方向に往復運動する。
【００１７】
ピストン１１は、エンジン本体１の出力軸であるクランク軸１５とコネクティングロッド１４を介して連結されている。ピストン１１の往復運動に応じて、クランク軸１５は中心軸回りに回転する。
【００１８】
シリンダヘッド４には、各気筒２Ａ〜２Ｄの燃焼室１０に向けて燃料（ガソリン）を噴射するインジェクタ１２と、インジェクタ１２から噴射された燃料と空気との混合気に対し火花放電による点火エネルギーを供給して混合気を燃焼させる点火プラグ１３（図１参照）とが設けられている。なお、当実施形態では、１気筒につき１つの割合で合計４個のインジェクタ１２が設けられるとともに、同じく１気筒につき１つの割合で合計４個の点火プラグ１３が設けられている。
【００１９】
当実施形態のような４サイクル４気筒のガソリンエンジンでは、各気筒２Ａ〜２Ｄに設けられたピストン１１がクランク角で１８０°（１８０°ＣＡ）の位相差をもって上下運動する。これに対応して、各気筒２Ａ〜２Ｄでの点火のタイミングすなわち燃焼タイミングも、１８０°ＣＡずつ位相をずらしたタイミングになる。具体的には、図１の左側から順に、気筒２Ａを第１気筒、気筒２Ｂを第２気筒、気筒２Ｃを第３気筒、気筒２Ｄを第４気筒とすると、第１気筒２Ａ→第３気筒２Ｃ→第４気筒２Ｄ→第２気筒２Ｂの順にインジェクタ１２から燃料が噴射されるとともに点火プラグ１３により混合気への点火が行われてこの順に混合気の燃焼が行われる。
【００２０】
当実施形態のエンジンは、４つの気筒２Ａ〜２Ｄのうちの２つを休止させ、残りの２つの気筒を稼動させる運転、つまり減筒運転が可能な可変気筒エンジンである。このため、上記のような燃焼順序（点火順序）は、減筒運転ではない通常の運転時（４つの気筒２Ａ〜２Ｄを全て稼動させる全筒運転時）のものである。一方、減筒運転時には、燃焼順序（点火順序）が連続しない２つの気筒（特定の気筒、当実施形態では第１気筒２Ａおよび第４気筒２Ｄ）においてインジェクタ１２による燃料噴射および点火プラグ１３の点火動作が禁止され、１つ飛ばしで燃焼が行われる。以下、減筒運転時に点火動作が禁止される気筒を休止気筒という場合がある。
【００２１】
シリンダヘッド４には、吸気通路３０から供給される空気（吸気）を各気筒２Ａ〜２Ｄの燃焼室１０に導入するための吸気ポート６と、各気筒２Ａ〜２Ｄの燃焼室１０で生成された排ガスを排気通路３５に導出するための排気ポート７とが設けられている。また、シリンダヘッド４には、吸気ポート６の燃焼室１０側の開口を開閉して吸気ポート６を通じた吸気の導入状態を変更する吸気弁８と、排気ポート７の燃焼室１０側の開口を開閉して排気ポート７からの排ガスの排出状態を変更する排気弁９とが設けられている。なお、当実施形態では、１気筒につき２つの割合で合計８個の吸気弁８が設けられるとともに、同じく１気筒につき２つの割合で合計８個の排気弁９が設けられている。
【００２２】
吸気通路３０は、気筒２Ａ〜２Ｄの各吸気ポート６と連通する４本の独立吸気通路３１と、各独立吸気通路３１の上流端部（吸気の流れ方向上流側の端部）に共通に接続されたサージタンク３２と、サージタンク３２から上流側に延びる１本の吸気管３３とを有している。吸気管３３の途中部には、エンジン本体１に導入される吸気の流量を調節するスロットル弁３４が設けられている。
【００２３】
排気通路３５は、気筒２Ａ〜２Ｄの各排気ポート７と連通する４本の独立排気通路３６と、各独立排気通路３６の下流端部（排ガスの流れ方向下流側の端部）が１箇所に集合した集合部３７と、集合部３７から下流側に延びる１本の排気管３８とを有している。
【００２４】
以上のように構成されたエンジンと車輪との間には、エンジンの動力を車輪に伝達するトランスミッション（動力伝達部、不図示）が設けられている。トランスミッションとエンジンとの連結状態は、車室に設けられたシフトレバー等の操作部材が運転者により操作されて変速レンジがニュートラルレンジに切り替えられることにより解除される。この解除が行われると、エンジンから車輪への動力伝達は停止される。また、当実施形態では、トランスミッションとエンジンとの連結状態を解除可能なクラッチペダル（不図示）が設けられている。クラッチペダルが運転者により踏み込み操作される（クラッチカットされる）ことによっても、トランスミッションとエンジンとの連結状態は解除されて、エンジンから車輪への動力伝達は停止される。
【００２５】
（２）動弁機構
次に、吸気弁８および排気弁９を開閉させるための機構について、図２、図３および図４を用いて詳しく説明する。吸気弁８および排気弁９は、それぞれ、シリンダヘッド４に配設された一対の動弁機構２８，２９（図２）により、クランク軸１５の回転に連動して開閉駆動される。
【００２６】
吸気弁８用の動弁機構２８は、吸気弁８を閉方向（図２の上方）に付勢するリターンスプリング１６と、クランク軸１５の回転に連動して回転するカム軸１８と、カム軸１８と一体に回転するカム部１８ａと、カム部１８ａにより周期的に押圧されるスイングアーム２０と、スイングアーム２０の揺動支点となるピボット部２２とを有している。また、吸気弁８用の動弁機構２８は、スイングアーム２０の略中央部に回転自在に設けられたカムフォロア２０ａを有する。
【００２７】
同様に、排気弁９用の動弁機構２９は、排気弁９を閉方向（図２の上方）に付勢するリターンスプリング１７と、クランク軸１５の回転に連動して回転するカム軸１９と、カム軸１９と一体に回転するカム部１９ａと、カム部１９ａにより周期的に押圧されるスイングアーム２１と、スイングアーム２１の揺動支点となるピボット部２２とを有している。また、排気弁９用の動弁機構２９は、スイングアーム２１の略中央部に回転自在に設けられたカムフォロア２１ａを有する。
【００２８】
動弁機構２８，２９により、吸気弁８および排気弁９は次のようにして開閉駆動される。クランク軸１５の回転に伴いカム軸１８，１９が回転すると、カムフォロア２０ａ，２１ａが、カム部１８ａ，１９ａによって周期的に下方に押圧される。このとき、スイングアーム２０，２１は、スイングアーム２０，２１の一端部を支持するピボット部２２を支点にして揺動変位する。これに伴い、スイングアーム２０，２１の他端部は、リターンスプリング１６，１７の付勢力に抗して吸排気弁８，９を下方に押圧し、これによって吸排気弁８，９が開弁する。開弁した吸排気弁８，９は、カム部１８ａ，１９ａによる押圧力が除去されるのに伴って、リターンスプリング１６，１７の付勢力により再び閉弁位置まで戻る。
【００２９】
ピボット部２２は、自動的にバルブクリアランスをゼロに調整する公知の油圧ラッシュアジャスタ２４，２５（以降、Ｈｙｄｒａｕｌｉｃ  Ｌａｓｈ  Ａｄｊｕｓｔｅｒの頭文字をとって「ＨＬＡ」と略称する）により支持されている。このうち、ＨＬＡ２４は、気筒列方向の中央側にある第２気筒２Ｂおよび第３気筒２Ｃのバルブクリアランスを自動調整する。ＨＬＡ２５は、気筒列方向の両端にある第１気筒２Ａおよび第４気筒２Ｄのバルブクリアランスを自動調整する。
【００３０】
第１気筒２Ａおよび第４気筒２Ｄ用のＨＬＡ２５は、エンジンが減筒運転中であるか全筒運転中であるかに応じて吸排気弁８，９の開閉動作を許容するか規制するかを切り替える機能を有している。ＨＬＡ２５は、エンジンの全筒運転時には休止気筒である第１、第４気筒２Ａ，２Ｄの吸排気弁８，９の開閉動作を許容する。一方、ＨＬＡ２５は、エンジンの減筒運転時には、これら休止気筒である第１、第４気筒２Ａ，２Ｄの吸排気弁８，９の開閉動作を規制してこれら吸排気弁８、９を閉弁状態のまま保持する。ＨＬＡ２５は、吸排気弁８，９の開閉動作を規制するための機構として、図３に示される弁停止機構２５ａを有している。これに対し、第２気筒２Ｂおよび第３気筒２Ｃ用のＨＬＡ２４は、弁停止機構２５ａを備えておらず、吸排気弁８，９の開閉動作は常時許容される。以下では、これらＨＬＡ２４，２５を区別するために、弁停止機構２５ａを備えたＨＬＡ２５のことを、特にＳ−ＨＬＡ２５（Ｓｗｉｔｃｈａｂｌｅ−Ｈｙｄｒａｕｌｉｃ  Ｌａｓｈ  Ａｄｊｕｓｔｅｒの略）という。
【００３１】
Ｓ−ＨＬＡ２５の弁停止機構２５ａは、有底の外筒２５１と、外筒２５１の周面に互いに対向するように設けられた２つの貫通孔２５１ａを出入りする一対のロックピン２５２と、これらロックピン２５２を径方向外側へ付勢するロックスプリング２５３と、ロストモーションスプリング２５４とを備えている。外筒２５１には、ピボット部２２が軸方向に摺動自在に収納されている。ロックピン２５２は、ピボット部２２をロック状態またはロック解除状態に切替可能である。ロストモーションスプリング２５４は、外筒２５１の内底部とピボット部２２の底部との間に配置されており、ピボット部２２を外筒２５１の上方に押圧して付勢する。
【００３２】
図３の（ａ）に示すように、ロックピン２５２が貫通孔２５１ａに嵌合しているときは、ピボット部２２は、上方に突出したまま固定されたロック状態になる。このロック状態では、上述のように、ピボット部２２の頂部がスイングアーム２０，２１の揺動支点となる。そして、カム軸１８，１９の回転によりカム部１８ａ，１９ａがカムフォロア２０ａ，２１ａを下方に押圧したときに、吸排気弁８，９はリターンスプリング１６，１７の付勢力に抗して下方に変位し、吸排気弁８，９は開弁される。このため、４つの気筒２Ａ〜２Ｄを全て稼働させる全筒運転時には、弁停止機構２５ａは、ピボット部２２をロック状態として、第１、第４気筒２Ａ，２Ｄの吸排気弁８，９の開閉動作が許容されるようにする。
【００３３】
一方、一対のロックピン２５２が径方向内側に移動して貫通孔２５１ａの内側に入ると、図３の（ｂ）に示すように、ロックスプリング２５３の引張力に抗して、一対のロックピン２５２が互いに接近する方向（外筒２５１の径方向内側）に移動する。これにより、ロックピン２５２と貫通孔２５１ａとの嵌合が解除され、ピボット部２２は軸方向に移動可能なロック解除状態となる。
【００３４】
このロック解除状態では、ピボット部２２がロストモーションスプリング２５４の付勢力に抗して下方に押圧されることにより、図３の（ｃ）に示すような弁停止状態が実現される。すなわち、吸排気弁８，９を上方に付勢するリターンスプリング１６，１７の方が、ピボット部２２を上方に付勢するロストモーションスプリング２５４よりも強い付勢力を有している。そのため、上記ロック解除状態では、カム軸１８，１９の回転に伴いカム部１８ａ，１９ａがカムフォロア２０ａ，２１ａを下方に押圧したときに、吸排気弁８，９の頂部がスイングアーム２０，２１の揺動支点となり、ピボット部２２がロストモーションスプリング２５４の付勢力に抗して下方に変位し、吸排気弁８、９は変位しなくなる。つまり、吸排気弁８，９は閉弁された状態に保持される。このため、第１、第４気筒２Ａ，２Ｄを休止させる減筒運転時には、弁停止機構２５ａは、ピボット部２２をロック解除状態とし、これにより第１、第４気筒２Ａ，２Ｄの吸排気弁８，９の開閉動作を規制して、吸排気弁８，９を閉弁状態に保持する。
【００３５】
弁停止機構２５ａは油圧駆動式であり、弁停止機構２５ａ、より詳細には、弁停止機構２５ａのロックピン２５２は、油圧により駆動される。ロックピン２５２は、供給される油圧に応じて貫通孔２５１ａを出入りする。図４に示すように、弁停止機構２５ａには、オイルポンプ４１から作動油が供給される。オイルポンプ４１と弁停止機構２５ａとの間には、オイルポンプ４１からの作動油が弁停止機構２５ａに流入する状態と、流入しない状態とに切り替えるソレノイドバルブ４２が設けられている。このソレノイドバルブ４２によって弁停止機構２５ａへの作動油の流入状態が切り替えられることで、オイルポンプ４１から弁停止機構２５ａに供給される油圧が変更される。このように、当実施形態では、弁停止機構２５ａによる吸排気弁８，９の開閉状態の切り替えは、ソレノイドバルブ４２によって実現され、ソレノイドバルブ４２が駆動すると弁停止機構２５ａは吸排気弁８，９の開閉状態の切り替えを開始する。
【００３６】
図４に示すように、当実施形態では、１つの気筒に対して１つのソレノイドバルブ４２が設けられており、合計２つのソレノイドバルブ４２が設けられている。そして、一方のソレノイドバルブ４２が、第１気筒２Ａの吸気弁８に設けられた弁停止機構２５ａおよび第１気筒２Ａの排気弁９に設けられた弁停止機構２５ａに供給する油圧を同時に変更し、他方のソレノイドバルブ４２が、第４気筒２Ｄの吸気弁８に設けられた弁停止機構２５ａおよび第４気筒２Ｄの排気弁９に設けられた弁停止機構２５ａに供給する油圧を同時に変更する。
【００３７】
このように構成されていることで、休止気筒の吸気弁８、９を閉弁保持状態と開閉可能状態との間で切り替える場合において、排気弁９の開弁（閉弁保持状態から開閉可能状態に切り替える場合）あるいは閉弁（開閉可能状態から閉弁保持状態に切り替える場合）を吸気弁８よりも先に行わせるためには、図５（ａ）に示す排気弁側切替期間Ｔｅｘ中に、弁停止機構２５ａに切り替えを開始させねばならない（ソレノイドバルブ４２を駆動せねばならない）。また、吸気弁８の開弁（閉弁保持されている状態から開閉可能な状態に切り替える場合）あるいは閉弁（開閉可能な状態から閉弁保持される状態に切り替える場合）を、排気弁９よりも先に行わせるためには、図５（ｂ）に示す吸気弁側切替期間Ｔｉｎ中に、弁停止機構２５ａに切替を開始させねばならに（ソレノイドバルブ４２を駆動せねばならない）。
【００３８】
図５（ａ）、（ｂ）は、それぞれ、横軸をクランク角として、吸排気弁８、９のバルブリフトと、排気弁側切替期間Ｔｅｘ，吸気弁側切替期間Ｔｉｎとを示したものである。これら図において、「ＩＮ」は吸気弁８を「ＥＸ」は排気弁９を表している。
【００３９】
図５（ａ）に示すように、排気弁側切替期間Ｔｅｘは、吸気弁８の開弁開始時期ＩＶＯから所定角度遅角側の角度ＩＶＯ＿Ａよりも所定の遅れ時間ｔ＿ｄｅｌａｙ進角側の角度から、排気弁９の開弁開始時期ＥＶＯよりも上記遅れ時間ｔ＿ｄｅｌａｙ進角側の角度までである。
【００４０】
また、図５（ｂ）に示すように、吸気弁側切替期間Ｔｉｎは、排気弁９の開弁開始時期ＥＶＯから所定角度遅角側の角度ＥＶＯ＿Ａよりも上記遅れ時間ｔ＿ｄｅｌａｙ進角側の角度から、吸気弁８の開弁開始時期ＩＶＯよりも上記遅れ時間ｔ＿ｄｅｌａｙ進角側の角度までとなる。
【００４１】
上記遅れ時間ｔ＿ｄｅｌａｙは、油圧の作動遅れ時間である。すなわち、弁停止機構２５ａは、油圧駆動式であるため、上記切り替えを開始してから切り替えを完了させるまでの間に一定時間の遅れが生じる。すなわち、ソレノイドバルブ４２が駆動して、弁停止機構２５ａに対する作動油の流入状態の変更が開始されてから、弁停止機構２５ａに供給される油圧が所定量変化するまでに、遅れが生じる。そのため、弁停止機構２５ａが上記各期間Ｔｅｘ，Ｔｉｎで切り替えを開始すれば、弁停止機構２５ａの切り替え完了を、先に開弁あるいは閉弁させる弁と異なる弁の開弁開始時期から所定角度遅角側の角度（ＩＶＯ＿Ａ、ＥＶＯ＿Ａ）から、開弁あるいは閉弁させる弁の開弁開始時期（ＥＶＯ，ＩＶＯ）の間にすることができる。そして、所望の弁と異なる弁が先に開弁あるいは閉弁するのを回避して、所望の弁を確実に先に開弁あるいは閉弁させることができる。
【００４２】
例えば、弁停止機構２５ａが、排気弁側切替期間Ｔｅｘの開始時期（排気弁側切替期間Ｔｅｘのうち最も進角側の時期）に切り替えを開始した場合には、吸気弁８の開弁開始時期ＩＶＯから所定角度遅角側の角度ＩＶＯ＿Ａにて、切り替えを完了させることができる。従って、開弁開始時期ＩＶＯが既に過ぎてしまった吸気弁８を開弁あるいは閉弁させることなく、排気弁９から開弁あるいは閉弁させることができる。また、弁停止機構２５ａが、排気弁側切替期間Ｔｅｘの終了時期（排気弁側切替期間Ｔｅｘのうち最も遅角側の時期）に切り替えを開始した場合には、排気弁９の開弁開始時期ＥＶＯにて切り替えを完了させることができ、排気弁９から開弁あるいは閉弁させることができる。
【００４３】
（３）制御系統
次に、エンジンの制御系統について説明する。当実施形態のエンジンは、その各部が図６に示されるＥＣＵ（エンジン制御ユニット、制御手段）５０によって統括的に制御される。ＥＣＵ５０は、周知のとおり、ＣＰＵ、ＲＯＭ、ＲＡＭ等から構成されるマイクロプロセッサである。
【００４４】
エンジンおよび車両には、その各部の状態量を検出するための複数のセンサが設けられており、各センサからの情報がＥＣＵ５０に入力される。
【００４５】
例えば、シリンダブロック３には、クランク軸１５の回転角度および回転速度を検出するクランク角センサＳＮ１が設けられている。クランク角センサＳＮ１は、クランク軸１５と一体に回転する図略のクランクプレートの回転に応じてパルス信号を出力する。このパルス信号に基づいて、クランク軸１５の回転角度（クランク角）およびエンジン回転数が特定される。
【００４６】
シリンダヘッド４にはカム角センサＳＮ２が設けられている。カム角センサＳＮ２は、カム軸（１８または１９）と一体に回転するシグナルプレートの歯の通過に応じてパルス信号を出力する。この信号と、クランク角センサＳＮ１からのパルス信号とに基づいて、どの気筒が何行程にあるかという気筒判別情報が特定される。
【００４７】
吸気通路３０のサージタンク３２には、エンジン本体１の各気筒２Ａ〜２Ｄに導入される吸気の圧力を検出する吸気圧センサＳＮ３が設けられている。
【００４８】
車両には、運転者により操作される図外のアクセルペダルの開度（アクセル開度）を検出するアクセル開度センサＳＮ４、上記クラッチペダルの踏み込みを検出するクラッチペダルセンサＳＮ５、および、変速レンジを検出するポジションセンサＳＮ６が設けられている。
【００４９】
ＥＣＵ５０は、これらのセンサＳＮ１〜ＳＮ６と電気的に接続されており、それぞれのセンサから入力される信号に基づいて、上述した各種情報（クランク角、エンジン回転数、気筒判別情報、吸気圧、アクセル開度、クラッチペダルの踏み込み量、変速レンジ）を取得する。
【００５０】
ＥＣＵ５０は、各センサＳＮ１〜ＳＮ６からの入力信号に基づいて種々の判定や演算等を実行しつつ、エンジンの各部を制御する。ＥＣＵ５０は、インジェクタ１２、点火プラグ１３、スロットル弁３４、弁停止機構２５ａ（ソレノイドバルブ４２）と電気的に接続されている。ＥＣＵ５０は、上記演算の結果等に基づいて、これらの機器にそれぞれ駆動用の制御信号を出力する。なお、当実施形態では、１気筒につき１組の割合で合計４組のインジェクタ１２および点火プラグ１３が存在するが、図６では、インジェクタ１２および点火プラグ１３をそれぞれ１つのブロックで表記している。また、弁停止機構２５ａは、第１気筒２Ａ用に設けられた吸気側および排気側の各Ｓ−ＨＬＡ２５と、第４気筒２Ｄ用に設けられた吸気側および排気側の各Ｓ−ＨＬＡ２５とにそれぞれ１つずつ備わっているが、図６ではこれを１つのブロックで表記している。
【００５１】
ＥＣＵ５０のより具体的な機能について説明する。ＥＣＵ５０は、減筒運転に関する特有の機能的要素として、運転要求判定部５１、バルブ制御部５２、バルブ復帰判定部５３、燃焼制御部５４、およびエンジン回転数制御部５５を有している。
【００５２】
運転要求判定部５１は、アクセル開度センサＳＮ４やクランク角センサＳＮ１の検出値から特定されるエンジンの運転条件（エンジン負荷、エンジン回転数）等に基づいて、減筒運転および全筒運転のいずれを実施するかを判定する。例えば、運転要求判定部５１は、エンジン回転数およびエンジン負荷が比較的低い特定の運転条件にあるときに、第１、第４気筒２Ａ，２Ｄを休止させる（第２、第３気筒２Ｂ，２Ｃのみを稼働させる）減筒運転の要求があると判定する。逆に、上記特定の運転条件を除く残余の運転条件にあるときには、第１〜第４気筒２Ａ〜２Ｄを全て稼働させる全筒運転の要求があると判定する。そして、これらの運転条件が切り替わると減筒運転と全筒運転の一方から他方への移行要求があったと判定する。
【００５３】
バルブ制御部５２は、休止気筒（第１、第４気筒）２Ａ，２Ｄの吸排気弁８，９の作動状態（開閉動作が可能な状態か閉弁保持される状態か）を切り替えるものである。具体的には、バルブ制御部５２は、減筒運転時には、ピボット部２２がロック解除状態（図３（ｃ）参照）となる油圧がロックピン２５２に供給されるようにソレノイドバルブ４２を駆動して、弁停止機構２５ａにより休止気筒（第１、第４気筒）２Ａ，２Ｄの吸排気弁８，９を閉弁保持状態にする。一方、バルブ制御部５２は、全筒運転時には、ピボット部２２がロック状態（図３（ａ）参照）となる油圧がロックピン２５２に供給されるようにソレノイドバルブ４２を駆動して、休止気筒（第１、第４気筒）２Ａ，２Ｄの吸排気弁８，９を開閉可能状態にする。
【００５４】
また、バルブ制御部５２は、全筒運転から減筒運転への移行要求があると、休止気筒（第１、第４気筒）２Ａ，２Ｄの排気弁９を吸気弁８よりも先に閉弁させるように、弁停止機構２５ａ（ソレノイドバルブ４２）に制御信号を出力する。
【００５５】
これは、減筒運転時に休止気筒（第１、第４気筒）２Ａ，２Ｄの筒内圧をより高く維持して減筒運転時に生じるエンジン振動をより小さく抑えるためである。
【００５６】
具体的には、エンジンが減筒運転している間、休止気筒（第１、第４気筒）２Ａ，２Ｄでは、吸気弁８および排気弁９の双方が閉弁したままピストン１１が往復運動する。この往復運動に伴い、ピストン１１と燃焼室１０の内壁との隙間からは、ガスが外部に漏れて、休止気筒（第１、第４気筒）２Ａ，２Ｄの筒内圧は徐々に低下していく。そのため、休止気筒（第１、第４気筒）２Ａ，２Ｄと稼動している気筒（第２、第３気筒）２Ｂ，２Ｃの筒内圧との圧力差は大きくなり、エンジン振動が大きくなるおそれがある。
【００５７】
これに対して、休止気筒（第１、第４気筒）２Ａ，２Ｄに空気が導入されて、この空気が排気されなければ、休止気筒（第１、第４気筒）２Ａ，２Ｄの筒内圧を高く維持することができ、エンジン振動を小さく抑えることができる。そこで、当実施形態では、上述のように全筒運転から減筒運転への移行要求があると、休止気筒（第１、第４気筒）２Ａ，２Ｄの排気弁９を先に閉弁保持状態とし、吸気弁８の開弁によって休止気筒（第１、第４気筒）２Ａ，２Ｄ内に吸気が導入され、かつ、排気されていない状態で、吸気弁８および排気弁９を閉弁保持状態にする。
【００５８】
具体的には、バルブ制御部５２は、運転要求判定部５１によって全筒運転から減筒運転への移行要求があったと判定されると、排気弁側切替期間Ｔｅｘ中に、弁停止機構２５ａ（ソレノイドバルブ４２）に切り替えを開始させる。なお、この移行要求があったタイミングが排気弁側切替期間Ｔｅｘから外れたタイミングの場合は、バルブ制御部５２は、排気弁側切替期間Ｔｅｘとなるのを待って、弁停止機構２５ａ（ソレノイドバルブ４２）に切り替えを開始させる。
【００５９】
また、バルブ制御部５２は、減筒運転から全筒運転への移行要求があった場合には、次のように弁停止機構２５ａ（ソレノイドバルブ４２）を制御する。
【００６０】
上述のように、減筒運転中、休止気筒２Ａ，２Ｄの筒内圧は徐々に低下していくが、減筒運転が実施されていた期間が所定期間未満の比較的短い期間の場合には、筒内圧は高く維持されている。そのため、減筒運転が実施されていた期間が所定期間未満の場合に休止気筒（第１、第４気筒）２Ａ，２Ｄの吸気弁８が排気弁９よりも先に開弁すると、吸気通路３０に高圧のガスが逆流するおそれがある。そこで、当実施形態では、上述のように減筒運転が実施されていた期間が所定期間未満であれば、吸気通路３０への高圧ガスの逆流を回避するために、休止気筒（第１、第４気筒）２Ａ，２Ｄの排気弁９を吸気弁８よりも先に開弁させる。
【００６１】
一方、減筒運転が実施されていた期間が所定期間以上であれば、上記高圧ガスの吸気通路３０への逆流は生じない。そこで、バルブ制御部５２は、減筒運転が実施されていた期間が所定期間以上であれば、休止気筒（第１、第４気筒）２Ａ，２Ｄの吸排気弁８，９のうちより早期に開弁させることが可能な弁から開弁させる。具体的には、バルブ制御部５２は、上記移行要求が吸気弁側切替期間Ｔｉｎ中にあった場合には、この期間中に弁停止機構２５ａ（ソレノイドバルブ４２）に切り替えを開始させて、休止気筒（第１、第４気筒）２Ａ，２Ｄの吸気弁８を排気弁９よりも先に開弁させる。一方、上記移行要求が排気弁側切替期間Ｔｅｘ中にあった場合には、この期間中に弁停止機構２５ａ（ソレノイドバルブ４２）に切り替えを開始させて、休止気筒（第１、第４気筒）２Ａ，２Ｄの排気弁９を吸気弁８よりも先に開弁させる。
【００６２】
バルブ復帰判定部５３は、減筒運転から全筒運転への移行時に、休止気筒（第１、第４気筒）２Ａ，２Ｄの排気弁９が正常に開弁したか否かすなわち排気弁９の開閉動作が正常に復帰したか否かを判定するものである。当実施形態では、休止気筒（第１、第４気筒）２Ａ，２Ｄの排気弁９が閉弁状態のまま故障した際に生じる、排気されず筒内に残留している高圧ガスが吸気通路３０へ逆流して吸気圧力が一時的に上昇するという現象を利用して、上記判定を行う。バルブ復帰判定部５３は、休止気筒（第１、第４気筒）２Ａ，２Ｄの吸気弁８が開弁を開始する時期の前後にわたる吸気圧力（吸気圧センサＳＮ３の検出値）の変動値が所定値より大きければ、高圧ガスの逆流があったとして排気弁９が正常に復帰していないと判定する。
【００６３】
なお、上記判定に用いる吸気圧力に係る具体的なパラメータとしては、上記以外にも種々の状態量を採用することができる。例えば、吸気圧力の絶対値を用い、これと所定値あるいは稼働気筒の吸気弁８の開弁開始時期付近の吸気圧との差に基づいて判定を行ってもよい。
【００６４】
ここで、減筒運転から全筒運転への移行時に排気弁９が閉弁故障している場合において、休止気筒（第１、第４気筒）２Ａ，２Ｄの筒内圧が高く維持されていれば、吸気弁８を最初に開弁した時点で吸気通路３０に高圧ガスの逆流が生じる。そのため、当実施形態では、バルブ復帰判定部５３は、減筒運転が実施されていた期間が所定期間未満の場合であって、休止気筒（第１、第４気筒）２Ａ，２Ｄの筒内圧が高く維持されていると考えられる場合は、全筒運転への復帰後、吸気弁８が最初に開弁するときの吸気圧力に基づいて排気弁９についての上記判定を行う。
【００６５】
一方、休止気筒（第１、第４気筒）２Ａ，２Ｄの筒内圧が低下している場合には、排気弁９が閉弁故障していても、吸気弁８を最初に開弁した時点では吸気通路３０に高圧ガスの逆流が生じない。そのため、吸気弁８を最初に開弁した時点での吸気圧力に基づいて排気弁９に係る上記判定を行うと、排気弁９が仮に閉弁故障していても正常に開弁復帰したと誤判定するおそれがある。
【００６６】
そこで、当実施形態では、減筒運転が実施されていた期間が所定期間以上であって休止気筒２Ａ，２Ｄの筒内圧が低下したと考えられる場合は、２回目以降の吸気圧力に基づいて上記判定を行う。このようにすれば、一旦吸気弁８が開弁されることで休止気筒（第１、第４気筒）２Ａ，２Ｄ内に新たに吸気が導入される。このとき、排気弁９が開弁していなければ、この吸気が排気行程において圧縮されることに伴い吸気弁８の開弁開始時期前後で吸気圧が高く検出される。従って、排気弁９の開閉状態を適正に判定することができる。
【００６７】
燃焼制御部５４は、減筒運転か全筒運転かに応じて休止気筒（第１、第４気筒）２Ａ，２Ｄのインジェクタ１２および点火プラグ１３の制御を切り替える。
【００６８】
全筒運転時は、燃焼制御部５４は、全ての気筒２Ａ〜２Ｄのインジェクタ１２および点火プラグ１３を駆動して燃料噴射および点火を実行し、全ての気筒２Ａ〜２Ｄで混合気を燃焼させる。
【００６９】
一方、減筒運転時は、燃焼制御部５４は、休止気筒（第１、第４気筒）２Ａ，２Ｄでの混合気の燃焼を停止させるために、当該気筒のインジェクタ１２および点火プラグ１３の駆動を停止する。
【００７０】
また、減筒運転から全筒運転への切り替え時において、燃焼制御部５４は、いわゆるバッグファイアが生じるのを回避するべく、バルブ復帰判定部５３により休止気筒（第１、第４気筒）２Ａ，２Ｄの排気弁９の正常復帰が確認された後に、当該気筒２Ａ，２Ｄへの燃料噴射および点火を再開させる。すなわち、排気弁９が正常復帰していない（閉弁したまま）状態で燃料噴射および点火を再開させて休止気筒（第１、第４気筒）２Ａ，２Ｄ内で燃焼を再開させると、次の吸気弁８の開弁時に、燃焼により生じた高温のガスが吸気通路３０を遡って逆流するおそれがある。そこで、燃焼制御部５４は、排気弁９の正常復帰が確認された後に、燃焼を再開させる。
【００７１】
エンジン回転数制御部５５は、エンジン出力すなわちエンジン回転数およびエンジントルクを運転条件に応じて適正な値に制御する。エンジン回転数制御部５５は、減筒運転と全筒運転との一方から他方への移行要求があった際に、弁停止機構２５ａによる休止気筒（第１、第４気筒）２Ａ，２Ｄの吸排気弁８，９の開閉状態の切り替えが完了しておらず且つエンジンとトランスミッションとの連結が解除された状態にあるという特定の条件が成立すると、上記のように設定した弁から開弁あるいは閉弁させることができないという事態が生じるのを回避するべく、エンジン回転数を一定に維持する制御を実施する。これについて、次に詳細に説明する。
【００７２】
（４）エンジン回転数制御部
まず、減筒運転と全筒運転との一方から他方への移行要求があった後において、弁停止機構２５ａによる休止気筒（第１、第４気筒）２Ａ，２Ｄの吸排気弁８，９の状態の切り替えが完了しておらず且つエンジンとトランスミッションとの連結が解除された状態にあるという特定条件が成立した場合に、エンジン回転数を制御しないことにより生じる問題について、図７（ａ），図７（ｂ）および図８（ａ），図８（ｂ）を用いて説明する。
【００７３】
図７（ａ）、図７（ｂ）は、減筒運転から全筒運転へ移行する際の休止気筒２Ａ，２Ｄの吸気弁８および排気弁９の開閉状態を、横軸をクランク角ではなく時間で示した図である。これら図において破線は吸排気弁８，９が閉弁していることを表し、実線は吸排気弁８，９が開弁していることを表している。また、これら図７（ａ），図７（ｂ）および図８（ａ），図８（ｂ）は、バルブ制御部５２において、減筒運転が実施されていた期間が所定期間以上であって減筒運転から全筒運転への移行要求に伴いより早期に開弁させることが可能な弁から開弁させるという制御を実施した場合の図である。また、これら図７（ａ），図７（ｂ）および図８（ａ），図８（ｂ）は、移行要求が吸気弁側切替期間Ｔｉｎ中に行われて、バルブ制御部５２が、吸気弁８から先に開弁させるように弁停止機構２５ａ（ソレノイドバルブ４２）に制御信号を出力した場合の図である。
【００７４】
図７（ａ）は、減筒運転から全筒運転への移行要求があった前後において、エンジンとトランスミッションとの連結が解除されることなく、エンジン回転数がほぼ一定に維持された場合の図である。図７（ｂ）は、図７（ａ）に対して、減筒運転から全筒運転への移行要求があった直後に、エンジンとトランスミッションとの連結が解除されることに伴いエンジン回転数が急増した場合の図である。
【００７５】
図８（ａ）は、減筒運転から全筒運転への移行要求があった前後において、エンジンとトランスミッションとの連結が解除されることなく、エンジン回転数がほぼ一定に維持された場合の図である。図８（ｂ）は、図８（ａ）に対して、減筒運転から全筒運転への移行要求があった直後に、エンジンとトランスミッションとの連結が解除されることに伴いエンジン回転数が急減した場合の図である。
【００７６】
まず、図７（ａ）と図７（ｂ）を比較する。
【００７７】
図７（ａ）に示されるように、エンジン回転数が移行要求前後においてほぼ一定であれば、吸気弁側切替期間Ｔｉｎ中に行われた移行要求と同時に弁停止機構２５ａが吸排気弁８，９の切替を開始することで、弁停止機構２５ａによる切替が完了するタイミング（弁停止機構２５ａが切替を開始してから油圧の作動遅れ時間ｔ＿ｄｅｌａｙ経過後のタイミング）を、排気弁９の開弁開始時期よりも所定時間遅角側の角度ＥＶＯ＿Ａと吸気弁８の開弁開始時期ＩＶＯとの間の期間とすることができる。従って、バルブ制御部５２の指令どおりに、吸気弁８から先に開弁させることができる。
【００７８】
これに対して、図７（ｂ）に示されるように、移行要求直後にクラッチカットが行われてエンジンとトランスミッションとの連結が解除されるとともにアクセルペダルが踏み込まれ、これに伴いエンジン回転数が急増すると、弁停止機構２５ａによる切替が完了するタイミング（弁停止機構２５ａが切替を開始してから油圧の作動遅れ時間ｔ＿ｄｅｌａｙ遅れ時間経過後のタイミング）が、吸気弁８の開弁開始時期ＩＶＯを過ぎたタイミングとなる。すなわち、弁停止機構２５ａによる切替が、吸気弁８の開弁開始時期ＩＶＯまでに完了しなくなる。そのため、この場合には、バルブ制御部５２が指令した吸気弁８ではなく、排気弁９が先に開弁してしまう。
【００７９】
次に、図８（ａ）と図８（ｂ）を比較する。
【００８０】
図８（ａ）では、エンジン回転数が移行要求前後においてほぼ一定であることに伴い、上述のように、弁停止機構２５ａによる切替を、排気弁９の開弁開始時期よりも所定時間遅角側の角度ＥＶＯ＿Ａから吸気弁８の開弁開始時期ＩＶＯまでの間に完了させることができる。従って、バルブ制御部５２の指令どおりに、吸気弁８から先に開弁させることができる。
【００８１】
これに対して、図８（ｂ）に示されるように、移行要求直後に、アクセルペダルが踏み込まれていない状態でクラッチカットが行われるあるいはニュートラルレンジに切り替えられてエンジンとトランスミッションとの連結が解除されて、これに伴いエンジン回転数が急減した場合には、弁停止機構２５ａによる切替が完了するタイミング（弁停止機構２５ａが切替を開始してから油圧の作動遅れ時間ｔ＿ｄｅｌａｙ経過後のタイミング）が、排気弁９の開弁開始時期ＥＶＯよりも進角側の時期となる。そのため、弁停止機構２５ａによる切替が排気弁９の開弁開始時期ＥＶＯまでに完了してしまう。従って、バルブ制御部５２が指令した吸気弁８ではなく、排気弁９が先に開弁してしまう。
【００８２】
このように、減筒運転から全筒運転への移行要求があった際に、弁停止機構２５ａによる休止気筒２Ａ，２Ｄの吸排気弁８，９の状態の切り替えが完了するまでの間に、エンジンとトランスミッションとの連結が解除されることに伴ってエンジン回転数が急変すると、想定した弁と異なる弁が先に開弁してしまうという問題が生じる。
【００８３】
ここで、上記では、バルブ制御部５２が、吸気弁８を先に開弁させるように指令した場合について説明したが、排気弁９を先に開弁させるように指令した場合でも、同様の問題が生じる。そして、例えば、上記のように、吸気弁８を先に開弁させるよう指令したにも関わらず排気弁９が先に開弁してしまった場合には、バルブ復帰判定部５３が、実際には吸気弁８が最初に開弁したタイミングであるにも関わらずこのタイミングを吸気弁８の２回目の開弁タイミングであるとして上記判定を行い、排気弁９の状態を誤判定するおそれがある。また、排気弁９を先に開弁させるよう指令したにも関わらず吸気弁８が先に開弁してしまった場合には、休止気筒２Ａ，２Ｄ内の高圧のガスが吸気通路３０側に逆流するおそれがある。
【００８４】
また、上記では、減筒運転から全筒運転への移行要求があった直後に、エンジンとトランスミッションとの連結が解除された場合について説明したが、エンジンとトランスミッションとの連結解除中であってエンジン回転数が急変している途中に移行要求があった場合にも、上記と同様に想定した弁から開弁あるいは閉弁しないという事態が生じる場合がある。また、全筒運転から減筒運転への移行要求についても、このような事態が生じる場合がある。
【００８５】
次に、エンジン回転数制御部５５が実施する制御の手順について、図９〜図１２のフローチャートを用いて説明する。ここで、図９における移行フラグＦは、減筒運転と全筒運転の一方から他方への移行要求があってから、弁停止機構２５ａによる吸排気弁８、９の作動状態の切替が完了するまでの間、Ｆ＝１となり、その他の場合にはＦ＝０となるフラグである。
【００８６】
図９に示すように、エンジン回転数制御部５５は、まず、ステップＳ１において、移行フラグＦ＝１か否かを判定する。
【００８７】
ステップＳ１の判定がＮＯであって移行フラグＦ＝０の場合は、ステップＳ３に進む。
【００８８】
ステップＳ３では、エンジン回転数制御部５５は、減筒運転と全筒運転の一方から他方への移行要求があるか否かを判定する。ステップＳ３の判定がＹＥＳの場合は、エンジン回転数制御部５５は、ステップＳ４において移行フラグＦを１にした後ステップＳ５に進む。なお、移行フラグＦが０から１に変更された直後は、弁停止機構２５ａによる吸排気弁８、９の作動状態の切替は開始されたばかりであり完了していない。一方、ステップＳ３の判定がＮＯであって移行要求がない場合は、エンジン回転数制御部５５は、ステップＳ７に進み移行フラグＦを０にする（Ｆ＝０を維持する）。ステップＳ７の後は、エンジン回転数制御部５５は、ステップＳ８に進む。
【００８９】
ステップＳ８では、エンジン回転数制御部５５は、後述する手順に従って通常目標エンジントルクを算出し、この算出したトルクを目標エンジントルクに設定する。ステップＳ８の後は、図１０に示すステップＳ１０に進む。
【００９０】
一方、ステップＳ１の判定がＹＥＳであって移行フラグＦ＝１の場合は、ステップＳ２に進む。
【００９１】
ステップＳ２では、エンジン回転数制御部５５は、弁停止機構２５ａによる吸排気弁８、９の作動状態の切替が未完了であるか否かを判定する。ステップＳ２の判定がＮＯであって、上記切替が完了している場合は、エンジン回転数制御部５５は、ステップＳ７に進む。そして、ステップＳ７にて移行フラグＦを０にした後、ステップＳ８に進む。一方、ステップＳ２の判定がＹＥＳであって、上記切替が完了していない場合は、エンジン回転数制御部５５は、ステップＳ５に進む。
【００９２】
ステップＳ５では、エンジン回転数制御部５５は、エンジンとトランスミッションとの連結が解除されているか否かを判定する。この判定は、クラッチペダルセンサＳＮ５からの信号、および、ポジションセンサＳＮ６からの信号に基づいて行われる。
【００９３】
ステップＳ５の判定がＮＯであって、エンジンとトランスミッションとが連結されている場合は、エンジン回転数制御部５５は、ステップＳ８に進む。
【００９４】
一方、ステップＳ５での判定がＹＥＳであって、エンジンとトランスミッションとの連結が解除されている場合は、エンジン回転数制御部５５は、ステップＳ８に進む。ステップＳ８では、エンジン回転数制御部５５は、後述する手順に従って切替時目標エンジントルクを算出し、この算出したトルクを目標エンジントルクに設定する。ステップＳ６の後は、図１０に示すステップＳ１０に進む。
【００９５】
図１０に示すように、ステップＳ１０では、エンジン回転数制御部５５は、ステップＳ６またはステップＳ８で設定した目標エンジントルクに基づいて目標充填量を算出する。なお、上記のように、ステップＳ６からステップＳ１０に進んだ場合は、目標エンジントルクは切替時目標エンジントルクとなり、ステップＳ８からステップＳ１０に進んだ場合は、目標エンジントルクは通常エンジントルクとなる。目標充填量は、各気筒２Ａ〜２Ｄにそれぞれ吸入される空気量の目標値である。ステップＳ１０の後は、ステップＳ１１に進む。
【００９６】
ステップＳ１１では、エンジン回転数制御部５５は、ステップＳ５で算出した目標充填量を実現するために必要な目標インマニ空気量を算出する。目標インマニ空気量は、吸気通路３０を通過する空気量であるインマニ空気量の目標値である。目標インマニ空気量は、目標充填量と、エンジンの運転状態とに基づいて算出される。例えば、エンジン回転数と吸気弁８の開閉時期等に基づいてサージタンク基準体積効率が算出され、このサージタンク基準体積効率と目標充填量とに基づいて目標インマニ空気量が算出される。ステップＳ１１の後は、ステップＳ１２に進む。
【００９７】
ステップＳ１２では、エンジン回転数制御部５５は、現在のインマニ空気量（現インマニ空気量）、ステップＳ１１で算出した目標インマニ空気量、ステップＳ１０で算出した目標充填量とに基づいて、要求スロットル通過流量を算出する。要求スロットル通過流量は、スロットル弁３４を通過する空気流量の目標値である。現在のインマニ空気量は、例えば、吸気通路３０に設けられたセンサで検出される。ステップＳ１２の後は、ステップＳ１３に進む。
【００９８】
ステップＳ１３では、エンジン回転数制御部５５は、ステップＳ１２で算出した要求スロットル通過流量に基づいて、スロットル弁３４を通過する空気流量がこの要求スロットル通過流量となるスロットル弁３４の開度（目標スロットル弁開度）を算出する。
【００９９】
また、ステップＳ１３では、エンジン回転数制御部５５は、目標充填量等に基づいて吸気弁８の閉弁時期の目標値である目標吸気弁閉弁時期を算出する。
【０１００】
目標スロットル開度は、例えば、ベルヌーイの定理を利用して算出することができる。スロットル弁３４を通過する空気流量は、スロットル弁３４の開度と、スロットル弁３４の上流側と下流側との圧力比（上流側に対する下流側の圧力の割合、以下、スロットル上下流圧力比という）によって決まる。そのため、スロットル弁３４の上流側と下流側の圧力をセンサによって検出し、この検出値と、要求スロットル通過流量とに基づいて、目標スロットル開度を算出することができる。具体的には、スロットル弁３４の開度と、スロットル上下流圧力比と、スロットル弁３４を通過する空気流量とを予め求めてこれらの関係をマップでＥＣＵ６０に記憶させておく。そして、このマップから、検出したスロットル上下流圧力比と、要求スロットル通過流量とに対応するスロットル弁３４の開度を抽出して、目標スロットル開度に設定すればよい。例えば、このマップは、スロットル弁３４を通過する空気流量が一定の場合において、スロットル上下流圧力比が１に近いほどスロットル弁３４の開度が大きくなるように設定される。ステップＳ１３の後は、ステップＳ１４に進む。
【０１０１】
ステップＳ１４では、エンジン回転数制御部５５は、ステップＳ１０で算出した目標充填量とエンジン回転数とに基づいて、インジェクタ１２から各気筒２Ａ〜２Ｄに噴射する燃料の量である燃料噴射量を決定するとともに、点火プラグ１３の点火時期を決定する。例えば、予め設定された空燃比（気筒内の混合気の空気と燃料の割合）の目標値と目標充填量とに基づいて燃料噴射量を決定する。また、予め設定記憶しているエンジン回転数と目標充填量とのマップから点火時期を決定する。ステップＳ１４の後は、ステップＳ１５に進む。
【０１０２】
ステップＳ１５では、エンジン回転数制御部５５は、ステップＳ１３で算出した目標スロットル弁開度および目標吸気弁閉弁時期となるように、スロットル弁３４を駆動するとともに吸気弁８の動弁機構２８を駆動する。当実施形態では、吸気弁８の動弁機構２８には、吸気弁８の閉弁時期を変更可能な吸気弁可変機構が設けられており、この吸気弁可変機構が吸気弁８の閉弁時期を変更する。また、ステップＳ１１５では、エンジン回転数制御部５５は、ステップＳ１４で決定された燃料噴射量が噴射されるようにインジェクタ１２（インジェクタ１２を含む燃料噴射機構）を駆動するとともに、ステップＳ１４で決定された点火時期で点火プラグ１３に点火させる。
【０１０３】
ステップＳ１５の後は、再びステップＳ１に戻る。
【０１０４】
このように、当実施形態では、ステップＳ１の判定がＹＥＳかつステップＳ２の判定がＹＥＳの場合には、目標エンジントルクを切替時目標エンジントルクに決定し、この目標エンジントルクが実現されるようにスロットル弁３４、吸気弁可変機構（吸気弁８の閉弁時期）、インジェクタ１２、点火プラグ１３を制御する。一方、ステップＳ１の判定がＮＯまたはステップＳ３の判定がＮＯの場合には、目標エンジントルクを通常目標エンジントルクに決定し、この目標エンジントルクが実現されるように、スロットル弁３４、吸気弁可変機構（吸気弁８の閉弁時期）、インジェクタ１２、点火プラグ１３を制御する。
【０１０５】
通常目標エンジントルクの算出手順について図１０を用いて簡単に説明する。
【０１０６】
エンジン回転数制御部５５は、まず、ステップＳ２１にて、運転状態を読み込む。具体的には、アクセル開度センサＳＮ４で検出されたアクセル開度、ポジションセンサＳＮ６で検出された変速レンジ（ギア段）、車速センサ（不図示）で検出された車速を読み込む。なお、ギア段は、例えば、車速とエンジン回転数とに基づいて算出してもよい。ステップＳ２１の後は、ステップＳ２２に進む。
【０１０７】
ステップＳ２２にて、エンジン回転数制御部５５は、ステップＳ２１で読み込んだ運転状態に基づき、これに対応した車両の加速度の目標値である車両目標加速度を設定する。ステップＳ２２の後は、ステップＳ２３に進む。
【０１０８】
ステップＳ２３にて、エンジン回転数制御部５５は、ステップＳ２２で設定した車両目標加速度に基づいて、この車両目標加速度が実現されるエンジントルクを算出して、通常目標エンジントルクに決定する。
【０１０９】
このように、通常目標エンジントルクは、アクセル開度およびギヤ段すなわち運転者の操作状況と車速すなわち車両の走行状態とに基づいて算出され、これらに対応したエンジントルクとされる。
【０１１０】
切替時目標エンジントルクの算出手順について図１１を用いて説明する。
【０１１１】
エンジン回転数制御部５５は、まず、ステップＳ３１にて、エンジンとトランスミッションとの連結が解除される直前のエンジン回転数を目標エンジン回転数として読み込む。ステップＳ３１の後は、ステップＳ３２に進む。
【０１１２】
ステップＳ３２にて、エンジン回転数制御部５５は、発電電流、エアコン冷媒圧、吸気圧、推定排気圧、吸気弁８および排気弁９の開閉時期（吸排気弁の開閉時期）を読み込む。発電電流は、クランク軸１５に連結されてクランク軸１５の回転によって発電を行う発電機の発電電流であり、例えば、電流センサにより検出される。エアコン冷媒圧は、車両に設けられた空調機を流通する冷媒の圧力であり、例えば、センサにより検出される。なお、エアコン冷媒圧は、エアコンがＯＮの場合（空調機が作動している場合）にのみ読み込まれる。吸気圧は、吸気圧センサＳＮ３により検出された値である。推定排気圧は、排気通路３５内の圧力の推定値である。推定排気圧は、例えば、エンジン回転数と、吸気量等から推定される。ステップＳ３２の後は、ステップＳ３３に進む。
【０１１３】
ステップＳ３３にて、エンジン回転数制御部５５は、ステップＳ３１で読み込んだ目標エンジン回転数に基づいて基本エンジントルクを算出する。基本エンジントルクは、エンジン本体１に一切外部負荷が加えられていない状態（トランスミッションとの連結が解除されているとともに、ポンプや発電機等がエンジン本体１に連結されていない状態）において、エンジン回転数が目標エンジン回転数となるときのエンジントルクである。ステップＳ３３の後は、ステップＳ３４に進む。
【０１１４】
ステップＳ３４にて、エンジン回転数制御部５５は、ステップＳ３１で決定した目標エンジン回転数に基づいて抵抗トルクを算出する。機械抵抗トルクは、エンジン本体１にポンプ等が連結されることでエンジン本体に機械抵抗として加えられるトルクである。ステップＳ３４の後は、ステップＳ３５に進む。
【０１１５】
ステップＳ３５にて、エンジン回転数制御部５５は、ステップＳ３１で読み込んだ目標エンジン回転数と、ステップＳ３２で読み込んだ発電電流とに基づいて、発電トルクを算出する。発電トルクは、発電機が発電することに伴ってエンジン本体１に生じる抵抗のトルク換算値である。
【０１１６】
ステップＳ３６にて、エンジン回転数制御部５５は、ステップＳ３１で読み込んだ目標エンジン回転数と、ステップＳ３２で読み込んだエアコン冷媒圧とに基づいて、エアコン駆動トルクを算出する。エアコン駆動トルクは、エアコンを駆動することに伴ってエンジン本体１に生じる機械抵抗である。ステップＳ３６の後は、ステップＳ３７に進む。なお、エアコンがＯＦＦの場合（空調機の駆動が停止されている場合）は、ステップＳ３６は省略され、ステップＳ３５の次にステップＳ３７に進む。
【０１１７】
ステップＳ３７では、エンジン回転数制御部５５は、ステップＳ３２で読み込んだ吸気圧、推定排気圧と、吸気弁８および排気弁９の開閉時期とに基づいて、ポンピングロストルクすなわちポンピングロスを算出する。ステップＳ３７の後は、ステップＳ３８に進む。
【０１１８】
ステップＳ３８では、エンジン回転数制御部５５は、ステップＳ３３〜Ｓ３７で算出した基本エンジントルク、機械抵抗トルク、発電トルク、エアコン駆動トルク、ポンピングロストルクを合計し、この合計値を切替時目標エンジントルクとして算出する。このように、切替時目標エンジントルクは、エンジンとトランスミッションとの連結が解除された状態で、エンジン回転数がこの連結解除直前のエンジン回転数となるトルクに設定される。
【０１１９】
そして、このように切替時目標エンジントルクが設定されることで、上記移行要求があった後において上記切替が完了しておらず、かつ、エンジンとトランスミッションとの連結が解除されている場合は、スロットル弁３４の開度、吸気弁８の閉弁時期、燃料噴射量、点火時期すなわち燃焼開始時期は、エンジン回転数が連結解除直前のエンジン回転数となる値に制御される。
【０１２０】
（５）作用
以上のように、当実施形態にかかるエンジン制御装置が適用されたエンジンでは、減筒運転と全筒運転との一方から他方への移行要求があった後において、弁停止機構２５ａによる休止気筒（第１、第４気筒）２Ａ，２Ｄの吸排気弁８，９の作動状態の切替が完了しておらず且つエンジンとトランスミッションとの連結が解除されているという特定の条件が成立すると、エンジン回転数が、エンジンとトランスミッションとの連結解除直前、すなわち、この特定の条件の成立直前の値に維持される。そのため、エンジンとトランスミッションとの連結解除を実現しつつ、休止気筒（第１、第４気筒）２Ａ，２Ｄの吸排気弁８、９のうち想定した弁からより確実に開弁あるいは閉弁することができる。
【０１２１】
（６）変形例
上記実施形態では、エンジン回転数が上記特定の条件の成立前後でエンジン回転数が一定に維持される場合について説明したが、上記特定の条件が成立した場合において、エンジン回転数の変化率（単位時間あたりのエンジン回転数の変化量）を、特定の条件の非成立時よりも小さくしてもよい。具体的には、仮に同じ運転状態（アクセル開度、ギア段、車速）でエンジンとトランスミッションとの連結が解除された場合において目標エンジントルクを通常目標エンジントルクとしたときに生じるエンジン回転数の変化率よりも小さくして、エンジン回転数を通常の運転時すなわちエンジン回転数を強制的に変更する制御を実施する場合よりも緩やかに変化させるようにしてもよい。この場合であっても、休止気筒２Ａ，２Ｄの吸排気弁８、９のうち想定した弁から開弁あるいは閉弁が実施されないという事態が生じるのを回避することができる。ただし、上記のように、エンジン回転数を一定に維持するようにすれば、より確実に上記事態を回避することができる。
【０１２２】
また、上記実施形態では、エンジン回転数制御部５５は、スロットル弁３４の開度、吸気弁８の閉弁時期、燃料噴射量、点火時期の変更によってエンジン回転数をエンジンとトランスミッションとの連結解除直前の回転数に維持する場合について説明したが、エンジン回転数を維持するための具体的な手順はこれに限らない。例えば、エンジンにより駆動されるポンプ等の補機の駆動負荷を、エンジン回転数が維持されるように上記連結解除直前の駆動負荷から変更してもよい。
【０１２３】
具体的には、変速レンジがニュートラルレンジに切り替えられてエンジン回転数が急減する場合およびクラッチカットによりエンジン回転数が急減する場合には、ポンプ等の補機の駆動負荷を増大させるようにしてもよい。例えばポンプの吐出圧を増大させてもよい。一方、クラッチカットによりエンジン回転数が急増する場合には、ポンプ等の補機の駆動負荷を低下させるようにしてもよい。例えば、ポンプの吐出圧が低下させてもよい。
【０１２４】
また、エンジンとトランスミッションとの連結が解除されてエンジン回転数が急減する場合に、点火プラグ１３の点火時期を進角させて、これによりエンジン回転数を一定に維持、あるいは、エンジン回転数の変化率を小さくしてもよい。そして、エンジンとトランスミッションとの連結が解除されてエンジン回転数が急増する場合に、点火プラグ１３の点火時期を遅角させて、これによりエンジン回転数を一定に維持、あるいは、エンジン回転数の変化率を小さくしてもよい。
【０１２５】
また、エンジンとトランスミッションとの連結が解除されてエンジン回転数が急減した場合に、燃料噴射量を増大させて、これによりエンジン回転数を一定に維持、あるいは、エンジン回転数の変化率を小さくしてもよい。そして、エンジンとトランスミッションとの連結が解除されてエンジン回転数が急増した場合に、燃料噴射量を減少させて、これによりエンジン回転数を一定に維持、あるいは、エンジン回転数の変化率を小さくしてもよい。
【０１２６】
さらに、これら補機の駆動負荷の変更、点火時期の変更、燃料噴射量の変更制御のうち少なくとも一つ、または、これらの２つ以上を組み合わせて、エンジン回転数を制御してもよい。
【０１２７】
また、上記では、弁停止機構２５ａが油圧駆動式であって油圧の作動遅れによりエンジン回転数の急変に伴い所望の弁からの開弁あるいは閉弁ができなくなるという問題が生じ、この問題を解決するためにエンジン回転数を一定にする制御を実施する場合について説明したが、バルブ制御部５２が、減筒運転と全筒運転の一方から他方への移行要求があってから所定時間後（クランク角ではなく時間）に、弁停止機構２５ａによる吸排気弁８，９の作動状態の切り替えを開始させる場合にも、この時間中にエンジン回転数が急変することに伴い、想定した弁からの開弁あるいは閉弁開始を実現できないおそれがある。そのため、このように構成されたエンジンに、上記エンジン回転数制御部５５によるエンジン回転数を一定あるいは変化率を小さく抑える制御を実施してもよい。例えば、特定のタイミングで減筒運転と全筒運転の一方から他方への移行要求があったかどうかを判定し、移行要求があったと判定されると、タイマをオンにし、このタイマにより計測された時間すなわち移行要求からの経過時間が予め設定された所定期間（先に開弁あるいは閉弁させる弁に応じてそれぞれ設定された時間）になると、バルブ制御部５２が、弁停止機構２５ａの切り替えを開始させるよう構成されたエンジンにおいて、上記制御を実施してもよい。
【０１２８】
また、上実施形態では、弁停止機構２５ａが、同一の吸気弁８と排気弁９の状態を切り替える場合について説明したが、弁停止機構２５ａがこれら吸排気弁８、９の状態を個別に切り替えるようにしてもよい。
【０１２９】
以上のように、本発明は、吸気弁および排気弁を備えるとともに空気と燃料の混合気の燃焼が実施される複数の気筒を有し、全ての気筒内で混合気の燃焼が実施される全筒運転と、複数の気筒のうち特定の気筒内での燃焼が停止されて当該気筒が休止状態とされる減筒運転との間で切り替え可能なエンジンと、当該エンジンと連結されてエンジンの動力を車輪に伝達する動力伝達部とを備えた車両に設けられるエンジンの制御装置であって、エンジンの運転条件に基づいて減筒運転と全筒運転のいずれを実施するかを判定する運転要求判定部と、上記特定の気筒の吸気弁および排気弁を開閉可能な状態と閉弁保持される状態とに切り替え可能な弁停止機構と、全筒運転時に上記特定の気筒の吸気弁および排気弁を開閉可能状態とし、減筒運転時に上記特定の気筒の吸気弁および排気弁を閉弁保持状態とするように、上記弁停止機構を制御するバルブ制御部と、エンジン回転数を制御するエンジン回転数制御部とを有し、上記弁停止機構は、上記運転要求判定部によって減筒運転と全筒運転の一方から他方への移行要求があったと判定されると、上記特定の気筒の吸気弁および排気弁の状態の切り替えを開始し、上記エンジン回転数制御部は、上記運転要求判定部によって上記移行要求があったと判定された後、上記弁停止機構による上記切り替えが完了しておらず且つエンジンと上記動力伝達部との連結が解除されているという特定条件が成立した場合には、エンジン回転数を、当該エンジン回転数の時間に対する変化量が、上記特定条件が成立していない場合よりも小さくなるように制御することを特徴とするエンジンの制御装置を提供する。
【０１３０】
本発明によれば、エンジンと動力伝達部との連結の解除を実現しつつ、減筒運転と全筒運転の一方から他方への移行要求時において所望の弁からの開弁あるいは閉弁開始を実現することができる。
【０１３１】
具体的には、本発明では、減筒運転と全筒運転の一方から他方への移行要求時において、弁停止機構による特定の気筒の吸排気弁の開閉状態の切り替えが完了しておらず、かつ、エンジンと動力伝達部との連結が解除されているという特定条件が成立すると、エンジン回転数の変化率が小さく抑えられる。そのため、クラッチカットやニュートラルレンジへの切り替えが行われてエンジンと動力伝達部との連結が解除された状態であっても、特定の気筒の吸排気弁の開閉状態の切り替えが完了するまでの間エンジン回転数の変動が小さく抑えられる。従って、エンジンと動力伝達部とを連結解除しつつ、この連結解除に伴うエンジン回転数の変動によって所望の弁からの開弁あるいは閉弁が実現できないという事態をより確実に回避することができる。
【０１３２】
ここで、上記弁停止機構が油圧駆動式である場合には、油圧の作動遅れがあることで、エンジン回転数が大きく変動した際に所望の弁からの開弁あるいは閉弁が実現できなくなる可能性が高い。そのため、本発明を、弁停止機構が油圧駆動式であるものに適用すれば、より効果的である。
【０１３３】
また、減筒運転と全筒運転との一方から他方への移行要求があってから所定時間経過後に弁停止機構による切り替えを開始させる場合にも、この所定時間中にエンジン回転数が大きく変動することで所望の弁からの開弁あるいは閉弁が実現できなくなる可能性が高い。そのため、本発明を、このような構成、すなわち、上記バルブ制御部が、上記運転要求判定部によって減筒運転と全筒運転との一方から他方への移行要求があったと判定された後、所定時間経過後に、上記弁停止機構に上記切り替えを開始させるよう構成されたものに適用すれば、効果的である。
【０１３４】
また、上記エンジン回転数制御部がエンジン回転数を制御するために実施する具体的な制御内容としては、エンジンにより駆動される補機の駆動負荷の変更と、上記各気筒内で燃焼が開始する時期の変更と、当該各気筒内に供給する燃料量の変更とが挙げられ、エンジン回転数制御部は、これらの少なくとも一つを実施するよう構成されるのが好ましい。
【０１３５】
また、本発明において、上記エンジン回転数制御部は、上記特定の条件の成立前後においてエンジン回転数を一定に維持するのが好ましい。
【０１３６】
このようにすれば、より確実に、減筒運転と全筒運転の一方から他方への移行要求時において所望の弁から開弁あるいは閉弁開始させることができる。
【符号の説明】
【０１３７】
２Ａ〜２Ｄ    気筒
８    吸気弁
９    排気弁
２５ａ  弁停止機構
５０  ＥＣＵ
５２  バルブ制御部
５４  エンジン回転数制御部
【図１】
2015163292.tif 000003
【図２】
2015163292.tif 000004
【図３】
2015163292.tif 000005
【図４】
2015163292.tif 000006
【図５】
2015163292.tif 000007
【図６】
2015163292.tif 000008
【図７】
2015163292.tif 000009
【図８】
2015163292.tif 000010
【図９】
2015163292.tif 000011
【図１０】
2015163292.tif 000012
【図１１】
2015163292.tif 000013
【図１２】
2015163292.tif 000014
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
吸気弁および排気弁を備えるとともに空気と燃料の混合気の燃焼が実施される複数の気筒を有し、全ての気筒内で混合気の燃焼が実施される全筒運転と、複数の気筒のうち特定の気筒内での燃焼が停止されて当該気筒が休止状態とされる減筒運転との間で切り替え可能なエンジンと、当該エンジンと連結されてエンジンの動力を車輪に伝達する動力伝達部とを備えた車両に設けられるエンジンの制御装置であって、
エンジンの運転条件に基づいて減筒運転と全筒運転のいずれを実施するかを判定する運転要求判定部と、
上記特定の気筒の吸気弁および排気弁を開閉可能な状態と閉弁保持される状態とに切り替え可能な弁停止機構と、
全筒運転時に上記特定の気筒の吸気弁および排気弁を開閉可能状態とし、減筒運転時に上記特定の気筒の吸気弁および排気弁を閉弁保持状態とするように、上記弁停止機構を制御するバルブ制御部と、
エンジン回転数を制御するエンジン回転数制御部とを有し、
上記弁停止機構は、上記運転要求判定部によって減筒運転と全筒運転の一方から他方への移行要求があったと判定されると、上記特定の気筒の吸気弁および排気弁の状態の切り替えを開始し、
上記エンジン回転数制御部は、上記運転要求判定部によって上記移行要求があったと判定されてから上記弁停止機構による上記切り替えが完了するまでの間にエンジンと上記動力伝達部との連結が解除された時は、エンジン回転数の時間に対する変化量が、上記移行要求があったと判定されてから上記弁停止機構による上記切替が完了するまでの間に上記連結が解除されなかった時よりも小さくなるようにエンジン回転数を制御することを特徴とするエンジンの制御装置。
【請求項２】
請求項１に記載のエンジンの制御装置であって、
上記弁停止機構は、油圧駆動式であって、上記特定の気筒の吸気弁および排気弁の状態の切り替えを開始してから、所定の作動遅れ時間が経過した後に、当該切り替えを完了させることを特徴とするエンジンの制御装置。
【請求項３】
請求項１または２に記載のエンジンの制御装置であって、
上記バルブ制御部は、上記運転要求判定部によって減筒運転と全筒運転との一方から他方への移行要求があったと判定された後、所定時間経過後に、上記弁停止機構に上記切り替えを開始させることを特徴とするエンジンの制御装置。
【請求項４】
請求項１〜３のいずれかに記載のエンジンの制御装置であって、
上記エンジン回転数制御部は、エンジンにより駆動される補機の駆動負荷の変更と、燃焼が実施される気筒での燃焼開始時期の変更と、燃焼が実施される気筒内に供給する燃料量の変更との少なくとも一つを実施することで、エンジン回転数を制御することを特徴とするエンジンの制御装置。
【請求項５】
請求項１〜４のいずれかに記載のエンジンの制御装置であって、
上記エンジン回転数制御部は、アクセル操作に応じてエンジントルクの目標値である目標エンジントルクを設定し、この目標エンジントルクが実現されるように上記気筒に流入する吸気の量および当該気筒に供給される燃料の量を制御する一方、上記移行要求があったと判定されてから上記弁停止機構による上記切り替えが完了するまでの間にエンジンと上記動力伝達部との連結が解除された時は、当該連結が解除される前後でエンジン回転数が一定に維持されるように上記連結が解除される前のエンジン回転数を実現するエンジントルクを算出するとともに当該算出されたエンジントルクを目標エンジントルクに設定して、上記吸気の量および上記燃料の量を制御することを特徴とするエンジンの制御装置。
【手続補正２】
【補正対象書類名】明細書
【補正対象項目名】００２４
【補正方法】変更
【補正の内容】
【００２４】
［００９４］
一方、ステップＳ５での判定がＹＥＳであって、エンジンとトランスミッションとの連結が解除されている場合は、エンジン回転数制御部５５は、ステップＳ６に進む。ステップＳ６では、エンジン回転数制御部５５は、後述する手順に従って切替時目標エンジントルクを算出し、この算出したトルクを目標エンジントルクに設定する。ステップＳ６の後は、図１０に示すステップＳ１０に進む。
［００９５］
図１０に示すように、ステップＳ１０では、エンジン回転数制御部５５は、ステップＳ６またはステップＳ８で設定した目標エンジントルクに基づいて目標充填量を算出する。なお、上記のように、ステップＳ６からステップＳ１０に進んだ場合は、目標エンジントルクは切替時目標エンジントルクとなり、ステップＳ８からステップＳ１０に進んだ場合は、目標エンジントルクは通常エンジントルクとなる。目標充填量は、各気筒２Ａ〜２Ｄにそれぞれ吸入される空気量の目標値である。ステップＳ１０の後は、ステップＳ１１に進む。
［００９６］
ステップＳ１１では、エンジン回転数制御部５５は、ステップＳ１０で算出した目標充填量を実現するために必要な目標インマニ空気量を算出する。目標インマニ空気量は、吸気通路３０を通過する空気量であるインマニ空気量の目標値である。目標インマニ空気量は、目標充填量と、エンジンの運転状態とに基づいて算出される。例えば、エンジン回転数と吸気弁８の開閉時期等に基づいてサージタンク基準体積効率が算出され、このサージタンク基準体積効率と目標充填量とに基づいて目標インマニ空気量が算出される。ステップＳ１１の後は、ステップＳ１２に進む。
［００９７］
ステップＳ１２では、エンジン回転数制御部５５は、現在のインマニ空気量（現インマニ空気量）、ステップＳ１１で算出した目標インマニ空気量、ステップＳ１０で算出した目標充填量とに基づいて、要求スロットル通過流量を算出する。要求スロットル通過流量は、スロットル弁３４を通過する空気流量の目標値である。現在のインマニ空気量は、例えば、吸気通路３０に設けられたセンサで検出される。ステップＳ１２の後は、ステップＳ１３に
【国際調査報告】
2015163292.tif 000015
2015163292.tif 000016